(57)【特許請求の範囲】
【請求項１】
放射性セシウムを含む廃棄物を高温処理することによって、主灰と、排ガスと、前記排ガスに含まれる微粒子と、を生成する高温処理設備と、
前記高温処理設備から排出された前記排ガスに液体を噴霧することによって前記排ガスを冷却するとともに前記排ガスから第一の微粒子を分離するガス冷却設備と、
前記ガス冷却設備で冷却された前記排ガスから第二の微粒子を分離する排ガス処理設備と、
前記ガス冷却設備で前記排ガスから分離した前記第一の微粒子と前記ガス冷却設備で冷却された前記排ガスから前記排ガス処理設備で分離した前記第二の微粒子とのうち、前記第一の微粒子を前記高温処理設備の前記主灰へ合流させる搬送ラインと、
前記主灰及び前記搬送ラインを介して前記主灰に合流した前記第一の微粒子を回収する主灰回収設備と、
を備える廃棄物処理システム。
【請求項２】
前記ガス冷却設備と前記排ガス処理設備とを接続する接続ラインと、
前記ガス冷却設備の内部であって前記接続ラインにおける前記ガス冷却設備側の開口と同じ高さ又は前記開口よりも下側の位置に設けられ、前記排ガス中の前記第一の微粒子の排出を促す液体を噴出する洗浄ノズルと、
を備える請求項１に記載の廃棄物処理システム。
【請求項３】
前記ガス冷却設備にて分離された前記第一の微粒子の放射性物質濃度を測定する放射性物質濃度測定装置と、
前記第一の微粒子を回収可能な回収装置と、
前記第一の微粒子を前記搬送ラインに導く第一形態と、前記第一の微粒子を前記回収装置に導く第二形態とを選択することができる分岐装置と、
前記放射性物質濃度が閾値よりも高い場合に前記第一の微粒子を前記回収装置に導き、前記放射性物質濃度が閾値よりも低い場合に前記第一の微粒子を前記搬送ラインに導くように前記分岐装置を制御する制御装置と、
を備える請求項２に記載の廃棄物処理システム。
【発明の詳細な説明】
【技術分野】
【０００１】
本発明は、放射性セシウムを含む廃棄物を処理する廃棄物処理システムに関する。
【背景技術】
【０００２】
放射性セシウムなどの放射性物質を含む廃棄物の処理を行うためには、例えば、廃棄物を焼却する焼却設備を用いて廃棄物を高温処理するのが一般的である。焼却設備にて発生する灰を含む排ガスは、ガス冷却設備で冷却されて、バグフィルタなどの排ガス処理設備にて除塵・無害化されて、最終的に煙突に送られる。
この際、ガス冷却設備に堆積する灰や、排ガス処理設備にて除かれた灰は、放射性物質を含む廃棄物として、例えば、公共の水域及び地下水と完全に遮断される遮断型処分場などに送られる（例えば、特許文献１参照）。
【先行技術文献】
【特許文献】
【０００３】
【特許文献１】特許第５７４６５７９号公報
【発明の概要】
【発明が解決しようとする課題】
【０００４】
ところで、上記した処理方法においては、焼却設備にて発生する排ガスとともに飛んでいく灰（焼却設備で処理される主灰以外の灰）は、全て飛灰として遮断型処分場などの、処理に高い費用が必要となる設備にて回収される。即ち、灰の放射性物質濃度に係わらず、ガス冷却設備に堆積する灰（ガス冷却灰）や、排ガス処理設備にて除かれた灰は、高い放射性物質濃度を示す特別な廃棄物として処理されていた。放射性物質濃度の高い特別な廃棄物として処理するには、
高いコストが必要であるため、処理量の低減が望まれている。
【０００５】
この発明は、放射性セシウムを含む廃棄物を処理する廃棄物処理システムにおいて、廃棄物の処理コストを低減することができる廃棄物処理システムを提供することを目的とする。
【課題を解決するための手段】
【０００６】
本発明の第一の態様によれば、廃棄物処理システムは、放射性セシウムを含む廃棄物を高温処理することによって、主灰と、排ガスと、前記排ガスに含まれる微粒子と、を生成する高温処理設備と、前記高温処理設備から排出された前記排ガスに液体を噴霧することによって前記排ガスを冷却するとともに前記排ガスから第一の微粒子を分離するガス冷却設備と、前記ガス冷却設備で冷却された前記排ガスから第二の微粒子を分離する排ガス処理設備と、前記ガス冷却設備で前記排ガスから分離した前記第一の微粒子と前記ガス冷却設備で冷却された前記排ガスから前記排ガス処理設備で分離した前記第二の微粒子とのうち、前記第一の微粒子を前記高温処理設備の前記主灰へ合流させる搬送ラインと、前記主灰及び前記搬送ラインを介して前記主灰に合流した前記第一の微粒子を回収する主灰回収設備と、を備える。
【０００７】
このような構成によれば、ガス冷却設備で排ガスから分離した第一の微粒子を高温処理設備にて生成された処理物とともに処理できる。これにより、従来、第二の微粒子とともに第一の微粒子を処理した場合と比較して、微粒子のうち、高温処理設備にて生成される処理物とともに処理される微粒子の割合を多くすることができる。
即ち、第二の微粒子と同じコストの高い処理を行うことなく、第一の微粒子の処理を行うことができるため、廃棄物の処理コストを低減することができる。
【０００８】
上記廃棄物処理システムにおいて、前記ガス冷却設備と前記排ガス処理設備とを接続する接続ラインと、前記ガス冷却設備の内部であって前記接続ラインにおける前記ガス冷却設備側の開口と同じ高さ又は前記開口よりも下側の位置に設けられ、前記排ガス中の前記第一の微粒子の排出を促す液体を噴出する洗浄ノズルと、を備えてよい。
【０００９】
このような構成によれば、洗浄ノズルから噴出される液体によって第一の微粒子の排出が促進される。また、洗浄ノズルから噴出される液体によって、灰中の放射性セシウムの一部が液体側に移行し、灰中の放射性セシウム量を低減させることができる。すなわち、第一の微粒子が予め液体に洗われることによって、灰中の放射性セシウム含有量の低減と、放射性物質の溶出を抑制することができる。
【００１０】
上記廃棄物処理システムにおいて、前記ガス冷却設備にて分離された前記第一の微粒子の放射性物質濃度を測定する放射性物質濃度測定装置と、前記第一の微粒子を回収可能な回収装置と、前記第一の微粒子を前記搬送ラインに導く第一形態と、前記第一の微粒子を前記回収装置に導く第二形態とを選択することができる分岐装置と、前記放射性物質濃度が閾値よりも高い場合に前記第一の微粒子を前記回収装置に導き、前記放射性物質濃度が閾値よりも小さい場合に前記第一の微粒子を前記搬送ラインに導くように前記分岐装置を制御する制御装置と、を備えてよい。
【００１１】
このような構成によれば、第一の微粒子の放射性物質濃度が閾値よりも高い場合においても、第一の微粒子を回収設備にて適切に処理することができる。
【発明の効果】
【００１２】
本発明によれば、排ガス処理設備にて分離された放射性物質濃度が高い飛灰の処理が行われる高価な遮断型処分場（例えば国が管理する中間貯蔵施設）における灰の処理量を低減し、廃棄物処理システム全体の処理コストを低減することができる。
【図面の簡単な説明】
【００１３】
【図１】本発明の第一実施形態の廃棄物処理プラントの概略構成図である。
【図２】灰の粒径と放射性物質濃度との関係を示すグラフである。
【図３】本発明の第二実施形態のガス冷却設備の概略構成図である。
【図４】本発明の第三実施形態のガス冷却設備の概略構成図である。
【図５】本発明の第三実施形態の廃棄物処理プラントの制御方法について説明するフローチャートである。
【発明を実施するための形態】
【００１４】
〔第一実施形態〕
以下、本発明の第一実施形態の廃棄物処理プラント（廃棄物処理システム）について図面を参照して詳細に説明する。本実施形態の廃棄物処理プラントは、放射性セシウムなどの放射性物質を含む廃棄物を処理するシステムである。
【００１５】
図１に示すように、本実施形態の廃棄物処理プラント１は、放射性セシウムを含む廃棄物Ｗを焼却処理する焼却設備２（高温処理設備）と、焼却設備２から排出された排ガスＥ１を冷却するガス冷却設備３と、ガス冷却設備３から排出された排ガスＥ２から塵埃などの粉体（微粒子）を取り除く排ガス処理設備４（バグフィルタ、集塵装置）と、排ガス処理設備４から排出された排ガスＥ３を大気に放出する煙突５と、を備えている。
焼却設備２とガス冷却設備３とは、第一排ガスライン９によって接続されている。第一排ガスライン９には、焼却設備２にて発生した排ガスＥ１及び排ガスＥ１に含まれる灰（以下、飛灰）が導入される。
ガス冷却設備３と排ガス処理設備４とは第二排ガスライン１０（接続ライン）によって接続されている。第二排ガスライン１０には、ガス冷却設備３から排出される排ガスＥ２及び排ガスＥ２に含まれる飛灰が導入される。
【００１６】
焼却設備２は、例えば、ストーカ式焼却炉などの設備であり、放射性セシウムを含む廃棄物Ｗの焼却処理を行う設備である。焼却設備２は、８００℃以上の熱で廃棄物Ｗを焼却できる設備である。焼却設備２は、廃棄物Ｗを焼却することによって、主灰Ａ１（焼却灰、処理物）、排ガスＥ１、及び排ガスＥ１と共に飛んでいく飛灰を排出する。
上述したように、本実施形態の廃棄物処理プラント１にて処理される廃棄物Ｗは、放射性セシウムを含む廃棄物である。高温処理によって、放射性セシウムは、主灰Ａに残留する形態と、排ガスＥ１に含まれる飛灰に付着する形態があり、飛灰側の放射性物質濃度が高くなる傾向がある。
【００１７】
廃棄物処理プラント１は、焼却設備２の燃え残りである主灰Ａ１を回収する主灰回収設備６を有している。主灰回収設備６は、例えば、コンクリートによって形成された灰ピットである。主灰回収設備６は、焼却設備２に隣接して設けることができる。
焼却設備２と主灰回収設備６とは、主灰搬送ライン１１によって接続されている。即ち、焼却設備２より排出される主灰Ａ１は、主灰搬送ライン１１を介して主灰回収設備６に導入される。主灰搬送ライン１１は、例えば、コンベアである。
主灰Ａ１には、排ガスＥ１側に移動しなかった放射性セシウムが含まれる。しかしながら、上述のとおり、高温処理によって、放射性セシウムは排ガスＥ１とともに焼却設備２から排出された結果、主灰Ａ１の放射性物質濃度は低く、かつ溶出し難い形態になるため、主灰回収設備６にて処理することができる。
【００１８】
ガス冷却設備３（減温塔）は、焼却設備２から排出される排ガスＥ１を例えば、３００℃以下まで冷却・減温する設備である。ガス冷却設備３は、排ガスＥ１に液体（例えば、水）を噴霧して冷却する噴霧ノズル１３を有している。ガス冷却設備３に導入される排ガスＥ１に含まれている飛灰のうち、粒径の大きい飛灰（煤塵、第一の微粒子）は、ガス冷却灰Ａ２として、ガス冷却設備３の下方に配置された灰排出部１４から排出される。
噴霧ノズル１３は、噴霧された液体が完全に蒸発するように、最適化されている。
なお、上記液体は、基本的には水であるが、廃棄用の液体（水以外）が容易に入手可能であって当該液体として利用可能な場合は、これを用いてもよい。また、放射性物質濃度の調整を意図して水以外の液体を用いることもありうる。
【００１９】
排ガス処理設備４は、耐熱性を有するろ布などを用いて排ガスＥ２中の飛灰（煤塵、第二の微粒子）をろ過捕集する設備である。即ち、ガス冷却設備３から排出されて排ガス処理設備４に導入された排ガスＥ２からは煤塵等が取り除かれて無害化される。
排ガス処理設備４にて除かれた飛灰Ａ３は、飛灰回収設備７に送られる。飛灰回収設備７は、例えば、遮断型の埋め立て処分場などで構成される、国が指定する中間貯蔵施設であり、放射性セシウムが含まれている飛灰Ａ３を、放射性セシウムが漏れ出ないように埋め立てる設備である。遮断型処分場は、公共の水域及び地下水と完全に遮断される処分場であり、主灰Ａ１が回収される主灰回収設備６と比較して処理に高い費用が必要となる。
【００２０】
図２は、灰（主灰、ガス冷却灰、及び飛灰）の粒径と放射性物質濃度との関係を示すグラフである。図２において、横軸が灰の粒径であり、縦軸が放射性物質濃度である。放射性物質濃度は、灰に含まれる放射性セシウムの含有量（ベクレル／ｋｇ）である。
発明者らは、廃棄物高温処理設備における灰の放射性物質濃度には分布があり、図２に示すように、粒径が大きい灰（主に主灰）は放射性物質濃度が低く、粒径が小さい灰（主に飛灰）は放射性物質濃度が高い特徴を見出した。
【００２１】
図２において、Ａ１で示す範囲の粒径の大きい灰は、焼却設備２にて回収される主灰Ａ１である。図２において、Ａ２で示す範囲の灰は、ガス冷却設備３にて回収されるガス冷却灰Ａ２である。図２において、Ａ３で示す範囲の粒径の小さい灰は、排ガス処理設備４にて回収される飛灰Ａ３である。
図２から明らかなように、主灰Ａ１は粒径の大きい灰であり、排ガス処理設備４にて回収される飛灰Ａ３は、粒径が小さい。ガス冷却灰Ａ２は、主灰Ａ１よりも粒径は小さいが、排ガス処理設備４にて回収される飛灰Ａ３よりも粒径は大きい。
【００２２】
放射性物質濃度が閾値Ｘよりも低い灰は、低放射性物質廃棄物として処理が可能である。即ち、焼却設備２にて回収される粒径の大きい主灰Ａ１は、主灰回収設備６にて処理が可能である。
閾値Ｘは、例えば、国によって定められた廃棄物の処理基準によって決められている。閾値Ｘは、例えば、１０万ベクレル／ｋｇである。閾値Ｘの灰を低放射性物質廃棄物として処理すべきか、又は、高放射性物質廃棄物として処理すべきかは、当該処理基準によって定められる。
【００２３】
放射性物質濃度が閾値Ｘよりも高い灰は、高放射性物質廃棄物として処理する必要がある。即ち、排ガス処理設備４にて回収される粒径の小さい飛灰Ａ３は、廃棄物処理プラント１外の飛灰回収設備７にて回収する必要がある。
【００２４】
発明者らは、従来、飛灰回収設備７にて処理を行っていたガス冷却灰Ａ２の放射性物質濃度が閾値Ｘよりも小さくかつ溶出が少ないので、低放射性物質廃棄物として処理が可能であることを見出した。
この知見に基づき、本実施形態の廃棄物処理プラント１は、ガス冷却設備３から排出されるガス冷却灰Ａ２を主灰回収設備６に送るガス冷却灰搬送ライン１２を備えている。即ち、ガス冷却設備３にて回収されるガス冷却灰Ａ２は、ガス冷却灰搬送ライン１２を介して、主灰回収設備６に導入されて、主灰Ａ１に合流して主灰回収設備６で処理される。
【００２５】
上記実施形態によれば、焼却設備２から排出される排ガスＥ１に含まれる飛灰のうちガス冷却設備３で排ガスＥ１から分離したガス冷却灰Ａ２（第一の微粒子）を焼却設備２にて生成された主灰Ａ１（処理物）とともに処理する構成とした。これにより、従来、ガス冷却灰Ａ２を排ガス処理設備４にて回収される飛灰Ａ３（第二の微粒子）とともに処理した場合と比較して、主灰Ａ１とともに処理される飛灰の割合を多くすることができる。
【００２６】
換言すれば、従来は、処理コストの高い飛灰回収設備７に送られていたガス冷却灰Ａ２を、廃棄物処理プラント１に設けられている主灰回収設備６にて処理することによって、飛灰回収設備７にて処理する灰の総量を低減することができる。これにより、廃棄物処理システム全体における、放射性セシウムを含む廃棄物の処理コストを低減することができる。
【００２７】
なお、上記実施形態では、廃棄物Ｗを高温処理する設備、すなわち高温処理設備として、ストーカ式焼却炉を例に説明したが、廃棄物を高温処理する設備としては焼却設備以外の採用も可能である。例えば、廃棄物をロータリーキルン炉（焙焼炉、焼却炉）によって高温処理してもよい。即ち、本実施形態の構成は、放射性セシウムを含む廃棄物を８００℃以上の高温で処理することにより、飛灰を含む排ガスが排出される設備に適用することができる。
【００２８】
〔第二実施形態〕
以下、本発明の第二実施形態の廃棄物処理プラントについて図面を参照して詳細に説明する。なお、本実施形態では、上述した第一実施形態との相違点を中心に述べ、同様の部分についてはその説明を省略する。
図３に示すように、本実施形態の廃棄物処理プラントのガス冷却設備３Ｂは、ケーシング１６と、ケーシング１６の上部に設けられている排ガス導入口１９と、ケーシング１６の下部に設けられている排ガス排出口２０と、排ガスＥ１に液体（例えば、水）を噴霧して冷却する噴霧ノズル１３と、ケーシング１６の内部の下部に設けられて液体（例えば、水）を噴出する洗浄ノズル２１と、を有している。これら液体は、基本的には水であるが、第一実施形態で述べたと同様の液体を用いてもよい。
【００２９】
ケーシング１６は、上下方向に延びる筒状をなすケーシング本体部１７と、ケーシング本体部１７の下方に連結されて、下方に向かうに従って縮径する灰貯留部１８とを有している。灰貯留部１８は、頂部が下方を向く円錐形状とすることが好ましい。
排ガス導入口１９は、ケーシング本体部１７の上端近傍に形成されている。排ガス導入口１９は、第一排ガスライン９のガス冷却設備３側の開口である。排ガス排出口２０は、ケーシング本体部１７の下端近傍に形成されている。排ガス排出口２０は、第二排ガスライン１０のガス冷却設備３側の開口である。
【００３０】
洗浄ノズル２１は、排ガス排出口２０よりも下方に設けられている。洗浄ノズル２１は、排ガス排出口２０と同じ高さに設けてもよい。
洗浄ノズル２１は、洗浄ノズル２１から噴出された水が排ガスＥ１にかからないように指向されている。洗浄ノズル２１は、ガス冷却設備３のケーシング１６内に導入されて第二排ガスライン１０に排出される排ガスＥ１の冷却には影響を与えない高さに設置されている。洗浄ノズル２１から噴出される水は、霧状ではなく、液状である。
ガス冷却設備３は、第一排ガスライン９を介してケーシング１６に導入された排ガスＥ１には、噴霧ノズル１３から噴霧される水粒子がかかるものの、洗浄ノズル２１から噴出される液滴はかからないように構成されている。
【００３１】
次に、本実施形態のガス冷却設備３の作用について説明する。
ガス冷却設備３のケーシング１６に導入された飛灰を含む排ガスＥ１は、噴霧ノズル１３から噴霧された水粒子によって冷却される。一方、排ガスＥ１に含まれる比較的粒径の大きい灰は、第二排ガスライン１０に導入されることなく、ガス冷却灰Ａ２として下方に落下する。
ここで、ガス冷却灰Ａ２には、洗浄ノズル２１から噴出された水がかけられる。洗浄ノズル２１から噴出された液滴によって、ガス冷却灰Ａ２がガス冷却設備３の下方に配置された灰排出部１４へ落とされる。落とされたガス冷却灰Ａ２は、洗浄ノズル２１から噴出された液滴によって、灰排出部１４からガス冷却灰搬送ライン１２への排出が促される。
また、ガス冷却灰Ａ２に含まれる放射性セシウムの一部は、水側に移行する。
【００３２】
上記実施形態によれば、洗浄ノズル２１から噴出される液滴によって、粒径の大きな灰であるガス冷却灰Ａ２の排出が促進される。また、洗浄ノズル２１から噴出される液滴によって、灰中の放射性セシウムの一部が水側に移行し、灰中の放射性セシウム量を低減させることができる。すなわちガス冷却灰Ａ２が予め水に洗われることによって、灰中の放射性セシウム含有量の低減と、灰からの放射性物質溶出を抑制することができる。
【００３３】
〔第三実施形態〕
以下、本発明の第三実施形態の廃棄物処理プラントについて図面を参照して詳細に説明する。なお、本実施形態では、上述した第二実施形態との相違点を中心に述べ、同様の部分についてはその説明を省略する。
図４に示すように、本実施形態のガス冷却設備３Ｃは、灰貯留部１８に貯留された灰の放射性物質濃度を測定する放射性物質濃度測定装置２３と、ガス冷却灰搬送ライン１２から分岐する分岐ライン２４と、分岐ライン２４の下流側に接続された飛灰回収装置２５と、を備えている。
飛灰回収装置２５は、放射性物質濃度が高い灰を回収可能なコンテナであり、飛灰回収設備７まで搬送することによって、飛灰を高い放射性物質濃度である特別な廃棄物として処理することができる。
【００３４】
本実施形態の廃棄物処理プラントは、ガス冷却灰搬送ライン１２と分岐ライン２４との分岐部２６に設けられて、ガス冷却灰Ａ２を主灰回収設備６に導く第一形態と、灰を飛灰回収装置２５に導く第二形態とを選択することができる分岐装置２７を有している。
【００３５】
また、廃棄物処理プラントは、放射性物質濃度測定装置２３によって測定されたガス冷却灰Ａ２の放射性物質濃度に基づいて、分岐装置２７を制御する制御装置２２を有している。
制御装置２２は、例えば上述した国の処理基準において閾値Ｘの灰を高放射線量廃棄物として処理すべきと定めている場合、ガス冷却灰Ａ２の放射性物質濃度が、閾値Ｘ以上か、閾値Ｘより小さいかによって分岐装置２７を制御する。
【００３６】
次に、本実施形態の廃棄物処理プラントの制御方法について説明する。
本実施形態の廃棄物処理プラントの制御方法は、灰貯留部１８に貯留されたガス冷却灰Ａ２の放射性物質濃度を測定する放射性物質濃度測定ステップＳ１と、放射性物質濃度測定ステップＳ１にて測定された放射性物質濃度に応じて分岐装置２７を制御する分岐装置制御ステップＳ２と、放射性物質濃度が閾値Ｘより小さい場合にガス冷却灰Ａ２を主灰回収設備６に送る搬送ステップＳ３と、放射性物質濃度が閾値Ｘ以上だった場合にガス冷却灰Ａ２を飛灰回収装置２５に送る飛灰回収ステップＳ４と、を有する。
【００３７】
次に、本実施形態のガス冷却設備３Ｃの作用について説明する。
ガス冷却設備３Ｃのケーシング１６に排ガスＥ１が導入されると、排ガスＥ１に含まれる比較的粒径の大きい灰は、ガス冷却灰Ａ２として下方に落下して灰貯留部１８に貯留する。
【００３８】
放射性物質濃度測定ステップＳ１において、灰貯留部１８に貯留されたガス冷却灰Ａ２の放射性物質濃度が放射性物質濃度測定装置２３によって測定されて、測定値は制御装置２２に送信される。分岐装置制御ステップＳ２において、制御装置２２は、測定値に基づいて分岐装置２７を制御する。
【００３９】
ガス冷却灰Ａ２の放射性物質濃度が閾値Ｘより小さい場合、搬送ステップＳ３として、ガス冷却灰Ａ２を主灰回収設備６に送るように分岐装置２７を制御する。
ガス冷却灰Ａ２の放射性物質濃度が閾値Ｘ以上だった場合、飛灰回収ステップＳ４として、ガス冷却灰Ａ２を主灰回収設備６に送らずに飛灰回収装置２５に送るように分岐装置２７を制御する。飛灰回収装置２５に送られたガス冷却灰Ａ２は、飛灰回収装置２５にて適切に処理される。
【００４０】
焼却設備２の通常運転時にはガス冷却灰Ａ２の放射性物質濃度は閾値Ｘより小さいことを発明者が見出しているが、焼却設備２の廃棄物処理量や廃棄物の放射性物質濃度が急増するなどして通常運転から逸脱し、ガス冷却灰Ａ２の放射性物質濃度が閾値Ｘ以上（閾値Ｘまたは閾値Ｘよりも高い）となった場合においても、上記実施形態によれば、ガス冷却灰Ａ２を飛灰回収装置２５にて適切に処理することができる。
【００４１】
なお、上記実施形態においては、分岐ライン２４を設けて、分岐ライン２４を介してガス冷却灰Ａ２を回収する構成としたがこれに限ることはない。例えば、ガス冷却灰搬送ライン１２上に飛灰回収装置２５を設けて、ガス冷却灰Ａ２の放射性物質濃度が閾値Ｘ以上の場合にガス冷却灰Ａ２を直接的に飛灰回収装置２５に導入する構成としてもよい。
【００４２】
以上、本発明の実施形態について詳細を説明したが、本発明の技術的思想を逸脱しない範囲内において、種々の変更を加えることが可能である。
例えば、廃棄物処理プラントには、上記した設備のみならず、排ガスを処理するための様々な設備を追加することができる。
【符号の説明】
【００４３】
１  廃棄物処理プラント（廃棄物処理システム）
２  焼却設備
３，３Ｂ，３Ｃ  ガス冷却設備
４  排ガス処理設備
５  煙突
６  主灰回収設備
７  飛灰回収設備
９  第一排ガスライン
１０  第二排ガスライン（接続ライン）
１１  主灰搬送ライン
１２  ガス冷却灰搬送ライン（搬送ライン）
１３  噴霧ノズル
１４  灰排出部（排出部）
１６  ケーシング
１７  ケーシング本体部
１８  灰貯留部
１９  排ガス導入口
２０  排ガス排出口
２１  洗浄ノズル
２２  制御装置
２３  放射性物質濃度測定装置
２４  分岐ライン
２５  飛灰回収装置
２６  分岐部
２７  分岐装置
Ａ１  主灰（処理物）
Ａ２  ガス冷却灰（第一の微粒子）
Ａ３  飛灰（第二の微粒子）
Ｅ１，Ｅ２，Ｅ３  排ガス
Ｗ  廃棄物
【図１】
0006561377.tif 000002
【図２】
0006561377.tif 000003
【図３】
0006561377.tif 000004
【図４】
0006561377.tif 000005
【図５】
0006561377.tif 000006